(57)【要約】【課題】潤滑油の特性を利用し、ローラ部材の真円度が過剰品質になることを防止しつつ、単体回転時の騒音を低減させ、ひいては回転機械の騒音を抑制する。【解決手段】本発明に係るラジアルローラベアリングは、外輪部材３０Ａと、複数のローラ部材３０Ｂと、保持器とを具備し、外輪部材３０Ａまたは回転軸とローラ部材３０Ｂとの間に潤滑油Ｏが供給されるラジアルローラベアリングにおいて、前記ローラ部材３０Ｂの中心軸線ＣＬに直交する断面における真円度ΔＲが、潤滑油Ｏにより形成される油膜の最小油膜厚さｈｍｉｎ以下に設定されていることを特徴とする。【選択図】図４
2013096485.tif 000002
【特許請求の範囲】
【請求項１】
外輪部材と、
前記外輪部材の内周面を転動する複数のローラ部材と、
保持器と、を具備し、
前記外輪部材または回転軸と前記ローラ部材との間に潤滑油が供給されるラジアルローラベアリングであって、
前記ローラ部材の中心軸線に直交する断面における真円度が、前記潤滑油により形成される油膜の最小油膜厚さ以下に設定されていることを特徴とするラジアルローラベアリング。
【請求項２】
前記最小油膜厚さｈｍｉｎは次の式から求められていることを特徴とする請求項１に記載のラジアルローラベアリング。
ｈｍｉｎ＝Ｒ＊２．６５Ｇ０．５４＊Ｕ０．７＊Ｗ−０．１３
但し、Ｒは相対曲率半径、Ｇは潤滑油の材料パラメータ、Ｕはローラ部材の速度パラメータ、Ｗはローラ部材の荷重パラメータ。
【請求項３】
前記速度パラメータＵは、前記ラジアルローラベアリングが用いられる回転機械における常用使用回転速度域の最小値から算出されていることを特徴とする請求項２に記載のラジアルローラベアリング。
【請求項４】
前記ローラ部材の先端部付近の外周面と、前記外輪部材の内周面または前記回転軸の外周面との接触部に応力集中が生じないよう、前記ローラ部材の外径が軸方向中央部側から先端部側に向かって僅かに窄まるように前記ローラ部材の外周面の軸方向母線が湾曲し、該ローラ部材の中心軸線に直交する断面における真円度の精度は、該ローラ部材の軸方向中央部側から先端部側に向かって低下していることを特徴とする請求項１から３のいずれかに記載のラジアルローラベアリング。
【請求項５】
前記ラジアルローラベアリングがカーエアコンの電動圧縮機に用いられ、前記ローラ部材の回転速度が１２０００〜４３０００ｒｐｍの範囲で使用される場合において、前記真円度が少なくとも０．８μｍ以下に設定されていることを特徴とする請求項１から４のいずれかに記載のラジアルローラベアリング。
【請求項６】
請求項１から５のいずれかに記載のラジアルローラベアリングを軸受部に用いたことを特徴とする回転機械。
【請求項７】
外輪部材と、
前記外輪部材の内周面を転動する複数のローラ部材と、
保持器と、を具備し、
前記外輪部材と前記ローラ部材との間に潤滑油が供給されるラジアルローラベアリングの設計方法であって、
前記ローラ部材の中心軸線に直交する断面における真円度を、前記潤滑油により形成される油膜の最小油膜厚さ以下に設定することを特徴とするラジアルローラベアリングの設計方法。
【請求項８】
前記最小油膜厚さｈｍｉｎは次の式から求めることを特徴とする請求項７に記載のラジアルローラベアリングの設計方法。
ｈｍｉｎ＝Ｒ＊２．６５Ｇ０．５４＊Ｕ０．７＊Ｗ−０．１３
但し、Ｒは相対曲率半径、Ｇは潤滑油の材料パラメータ、Ｕはローラ部材の速度パラメータ、Ｗはローラ部材の荷重パラメータ。
【請求項９】
前記速度パラメータＵは、前記ラジアルローラベアリングが用いられる回転機械における常用使用回転速度域の最小値から算出することを特徴とする請求項８に記載のラジアルローラベアリングの設計方法。
【請求項１０】
前記ローラ部材の先端部付近の外周面と、前記外輪部材の内周面または前記回転軸の外周面との接触部に応力集中が生じないよう、前記ローラ部材の外径が軸方向中央部側から先端部側に向かって僅かに窄まるように前記ローラ部材の外周面の軸方向母線を湾曲させ、該ローラ部材の中心軸線に直交する断面における真円度の精度を、該ローラ部材の軸方向中央部側から先端部側に向かって低下させることを特徴とする請求項７から９のいずれかに記載のラジアルローラベアリングの設計方法。
【請求項１１】
前記ラジアルローラベアリングがカーエアコンの電動圧縮機に用いられ、前記ローラ部材の回転速度が１２０００〜４３０００ｒｐｍの範囲で使用される場合において、前記真円度を少なくとも０．８μｍ以下に設定することを特徴とする請求項７から１０のいずれかに記載のラジアルローラベアリングの設計方法。
【発明の詳細な説明】
【技術分野】
【０００１】
本発明は、電動圧縮機のように、高速で回転し、尚且つ作動時の静粛性が要求される回転機械に適用されて好適なラジアルローラベアリングの設計方法、ラジアルローラベアリング、およびこれを用いた回転機械に関するものである。
【背景技術】
【０００２】
ラジアルローラベアリングは、主に回転軸のラジアル方向（径方向）に加わる荷重を担うベアリングであり、外輪部材と、その内周面を転動する複数のローラ部材（ころ）とを備えて構成されている。さらに、各ローラ部材の間隔を等間隔に保つ、籠状に形成された保持器（リテーナ）を有する場合が多い。なお、ローラ部材の径寸法をＤとし、軸寸法をＬとした場合に、Ｌ／Ｄが１を大きく上回り、尚且つローラ部材の外径が、軸支される軸径よりも格段に細いものが特にラジアルニードルベアリングと呼ばれている。このようなラジアルニードルベアリングを具備した回転機械としては、例えば、カーエアコンにおいて冷媒を圧縮するためのコンプレッサが知られている（例えば特許文献１参照）。
【０００３】
上記のコンプレッサのような快適装備を構成する回転機械にあっては、その作動時に発生する騒音を極力低減させることが要求される。従来では、特許文献２に開示されているように、回転軸のスラスト方向の荷重を支持するスラストニードルベアリングにおいて、ローラ部材の転動面から少なくとも一方の端面にかけて先窄まりとなるクラウニング部を形成し、径方向に断面を取った時に、前記転動面の真円度を所定値以下とし、且つ軸線方向に断面を取った時に、前記転動面がローラ部材の軸線に平行な直線部を含むようにすることにより、ローラ部材の転動を安定させて騒音を低く抑えた技術が開示されている。
【先行技術文献】
【特許文献】
【０００４】
【特許文献１】特開２００９−２９３５２３号公報
【特許文献２】特開２００５−３０８１３８号公報
【発明の概要】
【発明が解決しようとする課題】
【０００５】
一般に、ラジアルローラベアリングでもスラストローラベアリングでも、その作動時には潤滑油が供給され、回転軸とローラ部材との間、およびローラ部材と外輪部材（または軌道輪部材）との間に油膜が形成される。例えば、カーエアコンや一般のエアコンシステムにおいては、コンプレッサで圧縮される冷媒に所定の割合で専用の潤滑油が混合されており、コンプレッサの内部を冷媒が通過する際にベアリングや圧縮機構部等が潤滑されるようになっている。通常、潤滑油の供給量は回転軸の回転速度が高くなるほど多くなる。そして、潤滑油が供給されることにより、その油膜がローラ部材の中心軸線に直交する断面における真円度をある程度まで補ってくれることが判明している。
【０００６】
一方、特許文献２に開示されているベアリングは、上記のようなローラ部材と潤滑油との関係を考慮していないため、ローラ部材の中心軸線に直交する断面における真円度が必要以上に高くなってしまい、ベアリングの価格、さらにはコンプレッサ等の回転機械の価格を高める原因となっていた。
【０００７】
本発明は、上記の事情に鑑みてなされたものであり、潤滑油の特性を利用し、ローラ部材の真円度が過剰品質になることを防止しつつ、単体回転時の騒音を低減させ、ひいては回転機械の騒音を抑制することのできるラジアルローラベアリング、ラジアルローラベアリングを用いた回転機械、ラジアルローラベアリングの設計方法を提供することを目的とする。
【課題を解決するための手段】
【０００８】
上記目的を達成するために、本発明は以下の手段を提供する。
即ち、本発明に係るラジアルローラベアリングの第１の態様は、外輪部材と、前記外輪部材の内周面を転動する複数のローラ部材と、保持器とを具備し、前記外輪部材または回転軸と前記ローラ部材との間に潤滑油が供給されるラジアルローラベアリングであって、前記ローラ部材の中心軸線に直交する断面における真円度が、前記潤滑油により形成される油膜の最小油膜厚さ以下に設定されていることを特徴とする。
【０００９】
本発明の発明者らは、ラジアルローラベアリングに供給される潤滑油の油膜によってローラ部材の真円度が補われるため、ローラ部材の真円度をある程度劣化させても騒音面ではデメリットが生じないことを突き止めた。そして、上記第１の態様に係るラジアルローラベアリング、即ちローラ部材の中心軸線に直交する断面における真円度が、潤滑油の最小油膜厚さ以下に設定されていることにより、ローラ部材の真円度を必要最低限の精度にすることができることを実験により導き出した。このラジアルローラベアリングによれば、ローラ部材の真円度が過剰品質になることを防止しつつ、ラジアルローラベアリングの単体回転時の騒音を低減させ、ひいては回転機械の騒音を抑制することができる。
【００１０】
また、本発明に係るラジアルローラベアリングの第２の態様は、前記第１の態様において、前記最小油膜厚さｈｍｉｎは次の式から求められていることを特徴とする。
ｈｍｉｎ＝Ｒ＊２．６５Ｇ０．５４＊Ｕ０．７＊Ｗ−０．１３
但し、Ｒは相対曲率半径、Ｇは潤滑油の材料パラメータ、Ｕはローラ部材の速度パラメータ、Ｗはローラ部材の荷重パラメータである。
【００１１】
上記のラジアルローラベアリングによれば、ラジアルローラベアリングの形状や使用状況に対応した最小油膜厚さが正確に算出される。このため、最小油膜厚さの範囲内にローラ部材の中心軸線に直交する断面における真円度が納まり、ラジアルローラベアリングの騒音が大きくなることを確実に防止しながら、ローラ部材の中心軸線に直交する断面における真円度が過剰品質になることを防止することができる。
【００１２】
また、本発明に係るラジアルローラベアリングの第３の態様は、前記第２の態様において、前記速度パラメータＵは、前記ラジアルローラベアリングが用いられる回転機械における常用使用回転速度域の最小値から算出されていることを特徴とする。
【００１３】
前述したように、ラジアルローラベアリングへの潤滑油の供給量は回転軸の回転速度が高くなるほど多くなる。したがって、潤滑油の油膜厚さが最も小さくなるのは、回転軸の常用使用回転速度域における回転速度が最小の時である。このため、常用使用回転速度域の最小値から速度パラメータＵを算出して最小油膜厚さを設定し、この最小油膜厚さ以下にローラ部材の中心軸線に直交する断面における真円度を設定すれば、ローラ部材の中心軸線に直交する断面における真円度を必要最低限の精度としながら、回転機械の作動回転速度域の全域においてラジアルローラベアリングの単体回転時の騒音を低減させることができる。
【００１４】
また、本発明に係るラジアルローラベアリングの第４の態様は、前記第１から第３のいずれかの態様において、前記ローラ部材の先端部付近の外周面と、前記外輪部材の内周面または前記回転軸の外周面との接触部に応力集中が生じないよう、前記ローラ部材の外径が軸方向中央部側から先端部側に向かって僅かに窄まるように前記ローラ部材の外周面の軸方向母線が湾曲し、該ローラ部材の中心軸線に直交する断面における真円度は、該ローラ部材の軸方向中央部側から先端部側に向かって劣化していることを特徴とする。
【００１５】
一般に、ラジアルローラベアリングは、ローラ部材の端部における外周面と、ローラ部材の軌道（外輪部材の内周面または回転軸の外周面）との接触部に応力集中が生じないようにすることを主な目的として、ローラ部材の外径が、軸方向中央部側から先端部側に向かって僅かに窄まるようにローラ部材の外周面の軸方向母線が湾曲している。このローラ部材を備えたラジアルローラベアリングにおいては、回転軸の回転速度が高くなる程、ローラ部材が微小に傾斜し、ローラ部材の軸方向中央部付近よりも、軸方向先端部側の外周面での接触率が高くなる。
【００１６】
そして、前述の通り、回転軸の回転速度が高くなるにつれて潤滑油の供給量が多くなり、油膜が厚くなるため、ローラ部材の軸方向の先端部側ではその真円度が低くても、厚く形成された油膜によって真円度の低さが補われ、騒音の発生率が低くなる。したがって、ローラ部材の中心軸線に直交する断面における真円度を、ローラ部材の軸方向中央部側から先端部側に向かって劣化させても騒音レベルが高くなる虞はなく、これによってローラ部材の中心軸線に直交する断面における真円度が過剰品質になることを防止しつつ、ラジアルローラベアリングの騒音を低下させることができる。
【００１７】
また、本発明に係るラジアルローラベアリングの第５の態様は、前記第１から第４のいずれかの態様において、前記ラジアルローラベアリングがカーエアコンの電動圧縮機に用いられ、前記ローラ部材の回転速度が１２０００〜４３０００ｒｐｍの範囲で使用される場合において、前記真円度が少なくとも０．８μｍ以下に設定されていることを特徴とする。
【００１８】
上記構成の場合、カーエアコンの電動圧縮機に用いられるラジアルローラベアリングでは、前述の回転速度域（１２０００〜４３０００ｒｐｍ）において、潤滑油の油膜厚さが概ね０．８μｍ以下になることがないため、ローラ部材の中心軸線に直交する断面における真円度を０．８μｍ以下に設定しておけば、電動圧縮機の常用使用回転速度域の全域においてローラ部材の中心軸線に直交する断面における真円度の値が油膜厚さを超えることがなくなる。これにより、ラジアルローラベアリング騒音レベルが高くなることを抑制できる。
【００１９】
また、本発明に係る回転機械は、前記第１から第５のいずれかの態様に係るラジアルローラベアリングを軸受部に用いたことを特徴とする。
【００２０】
上記の回転機械によれば、潤滑油の特性を利用し、ローラ部材の中心軸線に直交する断面における真円度が過剰品質になることを防止しつつ、ラジアルローラベアリングの単体回転時の騒音を低減させ、回転機械の騒音を抑制することができる。
【００２１】
また、本発明に係るラジアルローラベアリングの設計方法の第１の態様は、外輪部材と、前記外輪部材の内周面を転動する複数のローラ部材と、保持器と、を具備し、前記外輪部材と前記ローラ部材との間に潤滑油が供給されるラジアルローラベアリングの設計方法であって、前記ローラ部材の中心軸線に直交する断面における真円度を、前記潤滑油により形成される油膜の最小油膜厚さ以下に設定することを特徴とする。
【００２２】
上記設計方法によれば、潤滑油の特性を利用して、ローラ部材の真円度が過剰品質になることを防止しつつ、ラジアルローラベアリングの単体回転時の騒音を低減させ、ひいては回転機械の騒音を抑制することができる。
【００２３】
また、本発明に係るラジアルローラベアリングの設計方法の第２の態様は、前記第１の態様において、前記最小油膜厚さｈｍｉｎは次の式から求めることを特徴とする。
ｈｍｉｎ＝Ｒ＊２．６５Ｇ０．５４＊Ｕ０．７＊Ｗ−０．１３
但し、Ｒは相対曲率半径、Ｇは潤滑油の材料パラメータ、Ｕはローラ部材の速度パラメータ、Ｗはローラ部材の荷重パラメータである。
【００２４】
上記設計方法によれば、ラジアルローラベアリングの形状や使用状況に対応した最小油膜厚さを正確に算出することができる。このため、最小油膜厚さの範囲内にローラ部材の中心軸線に直交する断面における真円度が納まり、ラジアルローラベアリングの騒音が大きくなることを確実に防止しながら、ローラ部材の中心軸線に直交する断面における真円度が過剰品質になることを防止することができる。
【００２５】
また、本発明に係るラジアルローラベアリングの設計方法の第３の態様は、前記第２の態様において、前記速度パラメータＵは、前記ラジアルローラベアリングが用いられる回転機械における常用使用回転速度域の最小値から算出することを特徴とする。
【００２６】
上記設計方法によれば、速度パラメータＵが、潤滑油の油膜厚さが最も小さくなる、常用使用回転速度域において回転速度が最小の時を基準に算出される。このため、ローラ部材の中心軸線に直交する断面における真円度を必要最低限の精度としながら、回転機械の作動回転速度域の全域においてラジアルローラベアリングの単体回転時の騒音を低減させることができる。
【００２７】
また、本発明に係るラジアルローラベアリングの設計方法の第４の態様は、前記第１から第３のいずれかの態様において、前記ローラ部材の先端部付近の外周面と、前記外輪部材の内周面または前記回転軸の外周面との接触部に応力集中が生じないよう、前記ローラ部材の外径が軸方向中央部側から先端部側に向かって僅かに窄まるように前記ローラ部材の外周面の軸方向母線を湾曲させ、該ローラ部材の中心軸線に直交する断面における真円度を、該ローラ部材の軸方向中央部側から先端部側に向かって劣化させることを特徴とする。
【００２８】
上記設計方法により設計されたラジアルローラベアリングでは、回転軸の回転速度が高くなる程、ローラ部材が微小に傾斜し、ローラ部材の軸方向中央部付近よりも、軸方向先端部側の外周面での接触率が高くなり、これと共に潤滑油の供給量が多くなり、油膜が厚くなる。このため、ローラ部材の軸方向の先端部側ではその真円度が低くても、厚く形成された油膜によって真円度の低さが補われ、騒音の発生率が低くなる。したがって、ローラ部材の中心軸線に直交する断面における真円度を、ローラ部材の軸方向中央部側から先端部側に向かって劣化させても騒音レベルが高くなる虞はなく、これによってローラ部材の中心軸線に直交する断面における真円度が過剰品質になることを防止しつつ、ラジアルローラベアリングの騒音を低下させることができる。
【００２９】
また、本発明に係るラジアルローラベアリングの設計方法の第５の態様は、前記第１から第４のいずれかの態様において、前記ラジアルローラベアリングがカーエアコンの電動圧縮機に用いられ、前記ローラ部材の回転速度が１２０００〜４３０００ｒｐｍの範囲で使用される場合において、前記真円度を少なくとも０．８μｍ以下に設定することを特徴とする。
【００３０】
上記の設計方法によれば、カーエアコンの電動圧縮機に組み込まれたラジアルローラベアリングでは、前述の回転速度域（１２０００〜４３０００ｒｐｍ）において、潤滑油の油膜厚さが概ね０．８μｍ以下になることがないため、ローラ部材の中心軸線に直交する断面における真円度を０．８μｍ以下に設定しておけば、電動圧縮機の常用使用回転速度域の全域においてローラ部材の真円度の値が油膜厚さを超えることがなくなる。これにより、ラジアルローラベアリング騒音レベルが高くなることを抑制できる。
【発明の効果】
【００３１】
以上のように、本発明に係るラジアルローラベアリング、ラジアルローラベアリングを用いた回転機械、ラジアルローラベアリングの設計方法によれば、ローラ部材の中心軸線に直交する断面における真円度を、潤滑油により形成される油膜の最小油膜厚さ以下に設定することにより、潤滑油の特性を利用して、ローラ部材の中心軸線に直交する断面における真円度が過剰品質になることを防止しつつ、単体回転時の騒音を低減させ、ひいては回転機械の騒音を抑制することができる。
【図面の簡単な説明】
【００３２】
【図１】本発明の一実施形態に係るラジアルニードルベアリングを具備した電動圧縮機の縦断面図である。
【図２】本発明の一実施形態に係るラジアルニードルベアリングの一部を切り欠いて示す斜視図である。
【図３】本発明の一実施形態に係るラジアルニードルベアリングを分解して示す図であって、（ａ）は外輪部材の一部を示す斜視図、（ｂ）は保持器を示す斜視図、（ｃ）はローラ部材を示す平面図である。
【図４】本発明の一実施形態を示す、ローラ部材の中心軸線に直交する断面における真円度と油膜厚さとの関係を示す縦断面図である。
【図５】本発明の効果を示す、ローラ部材の中心軸線に直交する断面における真円度と、ローラ部材の回転速度と、油膜厚さと、騒音レベルとの相関関係を示すグラフであり、（ａ）はベアリング単体時の騒音レベルを示す図であり、（ｂ）はベアリングが組み込まれた電動圧縮機の騒音レベルを示す図である。
【発明を実施するための形態】
【００３３】
以下、本発明の一実施形態について、図１〜図５を参照しながら説明する。
図１は、本発明の一実施形態に係るラジアルニードルベアリング（ラジアルローラベアリング）を具備した電動圧縮機の縦断面図である。この電動圧縮機１は、カーエアコンにおいて冷媒を圧縮するためのコンプレッサであり、外殻を構成する円筒状のハウジング２を備えている。このハウジング２は、それぞれお椀状に成形されたアルミダイカスト製の圧縮機ハウジング３とモータハウジング４とから構成され、そのフランジ部３Ａ，４Ａ同士を、Ｏリング６を介してボルト５で一体に結合することにより構成されている。
【００３４】
モータハウジング４の外周上面には、インバータ収容部７が一体に設けられ、高電圧電源から供給される直流電力を三相交流電力に変換し、モータハウジング４内に設けられている電動モータ１０にガラス密封端子８を介して給電する図示省略のインバータ装置が収容設置されている。なお、インバータ装置は、公知のものでよく、ここでは詳細な説明を省略する。
【００３５】
モータハウジング４内に設けられる電動モータ１０は、ステータ１１とロータ１２とから構成され、ステータ１１は、モータハウジング４の内周面に圧入等により固定されている。ステータ１１とモータハウジング４との間には、円周方向の複数箇所に軸方向に貫通する冷媒流路（図示せず）が設けられており、この冷媒流路を介してモータハウジング４の後端部（図３の右端部）に設けられている冷媒吸入ポート（図示せず）からモータハウジング４の底面と電動モータ１０の端面との間の空間１４に吸入された冷媒を軸方向に沿って前方側（図１の左側）へと流通させることができるようになっている。冷媒には潤滑油が所定の割合で混合されており、後述する後部軸受１６、主軸受１８、スクロール圧縮機構２０、そして本発明に係るラジアルニードルベアリング３０等が潤滑されるようになっている。
【００３６】
ロータ１２には、回転軸（クランク軸）１５が一体に結合されており、この回転軸１５の後端部がモータハウジング４の底面部に設けられている後部軸受１６に、前端部が軸受支持部材１７に設けられている主軸受１８に、それぞれ回転自在に支持されている。回転軸１５の前端には、回転軸１５の軸心から所定寸法だけ偏心した位置にクランクピン１５Ａが設けられている。なお、軸受支持部材１７は、ボルト４１を介してモータハウジング４に固定支持されている。
【００３７】
一方、圧縮機ハウジング３内には、スクロール圧縮機構２０が設けられている。このスクロール圧縮機構２０は、一対の固定スクロール２１と旋回スクロール２２とを噛み合わせて構成される公知の圧縮機構であり、両スクロール２１，２２間に形成される圧縮室２３が旋回スクロール２２の公転旋回運動により外周側から中心側へと容積を減少しながら移動されることで冷媒ガスを圧縮するものである。
【００３８】
固定スクロール２１は、圧縮機ハウジング３の底面側にボルト２４により固定設置されており、その端板背面と圧縮機ハウジング３の底面との間に吐出チャンバ２５が形成されている。一方、旋回スクロール２２は、その端板背面が軸受支持部材１７のスラスト面により摺動自在に支持されるとともに、端板背面に設けられているボス部２９にラジアルニードルベアリング３０とドライブブッシュ３１とを介して回転軸１５のクランクピン１５Ａが回転自在に挿入されている。
【００３９】
電動モータ１０が作動して回転軸１５が回転すると、クランクピン１５Ａが偏心回転し、旋回スクロール２２が固定スクロール２１に対して公転旋回駆動され、図示しない冷媒吸入ポートから吸入された冷媒が、固定スクロール２１と旋回スクロール２２との間の圧縮室２３の内部に充填され、ここで高温高圧に圧縮された冷媒ガスが、吐出孔２６、吐出弁２７、吐出チャンバ２５、吐出ポート２８を経て外部へと吐き出されるように構成されている。なお、旋回スクロール２２は、端板背面と軸受支持部材１７との間に介装されたオルダムリング３２により自転が阻止されるようになっている。また、ドライブブッシュ３１には、旋回スクロール２２の旋回駆動に伴うアンバランス荷重を相殺するためのバランスウェイト３３が一体に設けられている。
【００４０】
高速で偏心回転する旋回スクロール２２を軸支するラジアルニードルベアリング３０からは、その特有の負荷特性に起因した騒音が発生し易い。ここから騒音が発生すると、特に静粛性の高い電動車両やハイブリッド車両等の車内では非常に耳障りなものとなるため、騒音の発生を抑制することが課題となっている。
【００４１】
図２は、ラジアルニードルベアリング３０の一部を切り欠いて示す斜視図であり、図３（ａ），（ｂ），（ｃ）はラジアルニードルベアリング３０を分解して示す図である。ラジアルニードルベアリング３０は、円筒状に成形された外輪部材３０Ａと、外輪部材３０Ａの内部に配置されて外輪部材３０Ａの内周面を転動する複数の細い円柱状（またはころ状あるいは針状）のローラ部材３０Ｂと、これらローラ部材３０Ｂを所定のピッチで保持する保持器３０Ｃとにより構成されている。本実施形態におけるラジアル隙間は、例えば１０μｍ〜３０μｍに設定されている。
【００４２】
外輪部材３０Ａとローラ部材３０Ｂとの間、およびローラ部材３０Ｂとドライブブッシュ３１の外周面との間には、前述したように冷媒に含まれる潤滑油が供給され、各部材３０Ａ，３０Ｂ，３１の間が潤滑される。なお、外輪部材３０Ａは、金属塊から削り出されたものでも板金材料を塑性変形させたものでもよい。また、保持器３０Ｃは公知の構成のものでよく、ここでは外輪部材３０Ａと共に詳細な説明を省略する。
【００４３】
図３（ｃ）に示すように、ローラ部材３０Ｂは、その軸方向の両端部に、外径が軸方向中央部側から先端部側に向かって僅かに窄まる曲率部３０Ｄが形成されている。この曲率部３０Ｄは、ローラ部材３０Ｂの両端面３０Ｅから、例えばローラ部材３０Ｂの全長に対して１０％〜２０％の所まで形成されており、これらの曲率部３０Ｄの間の、外径が一定の区間が転動面３０Ｆとなっている。曲率部３０Ｄは、転動面３０Ｆの端部から端面３０Ｅにかけて、ローラ部材３０Ｂの外周面の軸方向母線が例えば樽状に先窄まりとなるように湾曲する形状である。つまり、曲率部３０Ｄの外周面は略球面状（３次曲面）となっている。この曲率部３０Ｄは、ローラ部材３０Ｂの先端部付近の外周面と、外輪部材３０Ａの内周面または回転軸１５の外周面との接触部に応力集中が生じないようにするためのものである。
【００４４】
ローラ部材３０Ｂの真円度は、潤滑油により形成される油膜の最小油膜厚さ以下となるように設計される。具体的には、図４に示すように、ローラ部材３０Ｂの中心軸線ＣＬに直交する断面を見た場合に、厳密にはローラ部材３０Ｂの輪郭線Ｐは完全な真円でないことから凹凸がある（図４では凹凸量が増幅されて描かれている）。この輪郭線Ｐに内接する最大径の円の半径Ｒ１と、この円と同心であって、輪郭線Ｐに外接する最小径の円の半径Ｒ２との差がローラ部材３０Ｂの中心軸線ＣＬに直交する断面における真円度ΔＲ（単位：μｍ）となる。この真円度ΔＲが、外輪部材３０Ａとローラ部材３０Ｂとの間に供給される潤滑油Ｏの最小油膜厚さｈｍｉｎと同等か、ｈｍｉｎよりも小さくなるように、ローラ部材３０Ｂの真円度を設計する（即ちとΔＲ≦ｈｍｉｎなるように設計する）。なお、以下の説明において、ローラ部材３０Ｂの「真円度」とは、全てローラ部材３０Ｂの中心軸線ＣＬに直交する断面における真円度（ΔＲ）のことを指すものとする。
【００４５】
最小油膜厚さｈｍｉｎは、次の式（１）から求められる（Dowson-Higginsonの式）。
ｈｍｉｎ＝Ｒ＊２．６５Ｇ０．５４＊Ｕ０．７＊Ｗ−０．１３・・・（１）
【００４６】
ここで、Ｒは相対曲率半径である。Ｇは潤滑油の材料パラメータであり、Ｇ＝αＥ’で示される。Ｕはローラ部材３０Ｂの速度パラメータであり、Ｕ＝η0ｕ／Ｅ’Ｒで示される。Ｗはローラ部材３０Ｂの荷重パラメータであり、Ｗ＝ｗ／Ｅ’Ｒで示される。上記のＥ’は等価弾性係数であり、次の式（２）で表わされる。
Ｉ／Ｅ’＝０．５｛（１−ν２１）／Ｅ１＋（１−ν２２）／Ｅ２｝・・・（２）
ここで、Ｅは縦弾性係数、νはポアソン比である。
【００４７】
さらに、速度パラメータＵは、電動圧縮機１における常用使用回転速度域の最小値から算出する。即ち、電動圧縮機１の回転軸１５の回転速度が例えば２４００〜８４００ｒｐｍであるとすると、ローラ部材３０Ｂの回転速度は１２０００〜４３０００ｒｐｍとなり、この時の速度パラメータＵは回転軸１５の回転速度が２４００ｒｐｍ時におけるローラ部材３０Ｂの回転速度、即ち１２０００ｒｐｍで算出される。一般に、ローラ部材３０Ｂの回転速度が１２０００ｒｐｍ付近における最小油膜厚さは凡そ０．８μｍ程度となる。
【００４８】
より具体的には、一般的な電動圧縮機１において、ローラ部材３０Ｂの回転速度は上記のように凡そ１２０００〜４３０００ｒｐｍの範囲とされるが、この回転速度範囲において、ローラ部材３０Ｂの真円度は少なくとも０．８μｍ以下に設定するのが好ましい。
【００４９】
さらに、曲率部３０Ｄの基部側から先端側に向かって真円度の精度を低下させてもよい。例えば、ローラ部材３０Ｂの軸方向中央部の中心軸線ＣＬに直交する断面における真円度を０．６μｍとした場合に、曲率部３０Ｄの先端側では真円度を０．８μｍ〜１．２μｍ程度に設定する。
【００５０】
以上のように、ローラ部材３０Ｂの中心軸線ＣＬに直交する断面における真円度ΔＲを、潤滑油Ｏにより形成される油膜の最小油膜厚さｈｍｉｎ以下に設定することにより、潤滑油Ｏの油膜によってローラ部材３０Ｂの真円度が補われる。このため、ローラ部材３０Ｂの真円度ΔＲの精度をある程度まで低下させても騒音面ではデメリットが生じない。したがって、ローラ部材３０Ｂの真円度を必要最低限の精度にすることができ、ローラ部材３０Ｂの真円度が過剰品質になることを防止しつつ、ラジアルニードルベアリング３０の単体回転時の騒音を低減させ、ひいては電動圧縮機１の騒音を抑制することができる。
【００５１】
また、最小油膜厚さｈｍｉｎを、Dowson-Higginsonの式（１）から算出するため、ラジアルニードルベアリング３０の形状や使用状況に対応した最小油膜厚さｈｍｉｎを正確に算出することができる。このため、最小油膜厚さｈｍｉｎの範囲内にローラ部材３０Ｂの真円度ΔＲを納めて、ラジアルニードルベアリング３０の騒音が大きくなることを確実に防止しながら、ローラ部材３０Ｂの真円度が過剰品質になることを防止することができる。
【００５２】
さらに、上記のDowson-Higginsonの式（１）から最小油膜厚さｈｍｉｎを算出するにあたり、その速度パラメータＵを、ラジアルニードルベアリング３０が用いられる電動圧縮機１において潤滑油Ｏの油膜厚さｈｍｉｎが最も小さくなる常用使用回転速度域の最小値から算出するようにしたため、この最小油膜厚さｈｍｉｎ以下にローラ部材３０Ｂの真円度ΔＲを設定すれば、ローラ部材３０Ｂの真円度を必要最低限の精度としながら、電動圧縮機１の作動回転速度域の全域においてラジアルニードルベアリング３０の単体回転時の騒音を低減させることができる。
【００５３】
また、ローラ部材３０Ｂの軸方向中央部側から先端部側に向かって、中心軸線ＣＬに直交する断面における真円度の精度を低下させた場合には、下記の作用・効果が得られる。即ち、一般に、ローラ部材３０Ｂと、その軌道との接触部の端部に生じる応力集中を防ぐことを主な目的として、ローラ部材３０Ｂの軸方向両端部に曲率部３０Ｄが形成されたラジアルニードルベアリング３０においては、回転軸であるクランク軸１５の回転速度が高くなる程、ローラ部材３０Ｂが微小に傾斜し、ローラ部材３０Ｂの転動面３０Ｆよりも曲率部３０Ｄの先端側での接触率が高くなる。そして、クランク軸１５の回転速度が高くなるにつれて潤滑油の供給量が多くなり、油膜が厚くなる。
【００５４】
このため、曲率部３０Ｄの先端側ではその真円度の精度が低くても、厚く形成された油膜によって真円度の悪さが補われ、騒音の発生率が低くなる。したがって、曲率部３０Ｄの先端側に向かって真円度の精度を低くしても騒音レベルが高くなる虞はなく、これによってラジアルニードルベアリング３０の騒音レベルが高くなることを抑制しつつ、ローラ部材３０Ｂの中心軸線ＣＬに直交する断面における真円度が過剰品質になることを防止してラジアルニードルベアリング３０の製造コスト、ひいては電動圧縮機１の製造コストを低下させることができる。
【００５５】
図５は、ローラ部材３０Ｂの真円度と、ローラ部材３０Ｂの回転速度と、油膜厚さと、騒音レベルとの相関関係を示すグラフであり、（ａ）はベアリング単体時の騒音レベルを示す図、（ｂ）はベアリングが組み込まれた電動圧縮機の騒音レベルを示す図である。図中に示す円形部の直径が音量の大きさを概念的に示している。これらの結果は、発明者らにより行われた実験に基づくものである。図５（ａ），（ｂ）とも、ローラ部材３０Ｂの回転速度が高まるにつれて油膜厚さが０．８μｍ〜０．９μｍに増加していくことが確認されている。
【００５６】
図５（ａ）に示すように、ラジアルニードルベアリング３０の単体での実験においては、ローラ部材３０Ｂの端面３０Ｅから１０％〜３０％の長さの部分（曲率部３０Ｄ）における、中心軸線に直交する断面の真円度を、０．１８μｍ，０．３６μｍ，０．６２μｍ，１．１０μｍ，１．２７μｍ，１．４７μｍと変化させたラジアルニードルベアリング３０の単体音を計測したところ、曲率部３０Ｄの真円度が発生油膜厚さ（０．８μｍ〜０．９μｍ）以下の場合の騒音値は、同じく真円度が発生油膜厚さ以上の場合の騒音値に比べて約７ｄＢ（Ａ）［ＡＶＥ］低い騒音値となった。
【００５７】
一方、図５（ｂ）に示すように、上記と同様にクラウニング部における真円度を数段径に変化させたラジアルニードルベアリング３０を電動圧縮機に組み込んで同様に騒音計測をしたところ、ローラ部材３０Ｂの中心軸線に直交する断面における真円度が発生油膜厚さ（０．８μｍ〜０．９μｍ）以下のベアリングを搭載した電動圧縮機の騒音値は、真円度が発生油膜厚さ以上のベアリングを搭載した電動圧縮機の騒音値に比べて約３．５ｄＢ（Ａ）［ＡＶＥ］低い騒音値となった。
【００５８】
以上のように、本発明に係るラジアルローラベアリングの設計方法、ラジアルローラベアリング、およびこれを用いた電動圧縮機によれば、ローラ部材３０Ｂの中心軸線ＣＬに直交する断面における真円度を、潤滑油により形成される油膜の最小油膜厚さｈｍｉｎ以下に設定することにより、潤滑油の特性を利用して、ローラ部材３０Ｂの真円度が過剰品質になることを防止しつつ、ベアリング単体回転時の騒音を低減させ、ひいては電動圧縮機の騒音を抑制して品質を高めることができる。
【００５９】
なお、本発明は上記の実施形態の構成のみに限定されるものではなく、本発明の要旨を逸脱しない範囲内において適宜変更や改良を加えることができ、このように変更や改良を加えた実施形態も本発明の権利範囲に含まれるものとする。例えば、上記実施形態では、ラジアルローラベアリングの一例として、ラジアルニードルベアリングを例示しているが、他の種のラジアルローラベアリングに対しても本発明に係るラジアルローラベアリングの設計方法を適用することができる。
【００６０】
また、本発明によって設計されたラジアルローラベアリング（ラジアルニードルベアリング）は、電動圧縮機に限らず、他の幅広い種類の回転機械にも適用することができ、これら各種類の回転機械においても、ラジアルローラベアリングから発生する騒音を効果的に低下させることができる。
【符号の説明】
【００６１】
１  電動圧縮機（回転機械）
１５  回転軸
３０  ラジアルニードルベアリング（ラジアルローラベアリング）
３０Ａ  外輪部材
３０Ｂ  ローラ部材
３０Ｃ  保持器
３０Ｄ  曲率部
３０Ｅ  端面（軸方向端部）
ｈｍｉｎ  最小油膜厚さ
Ｏ  潤滑油
ΔＲ  真円度
【図１】
2013096485.tif 000003
【図２】
2013096485.tif 000004
【図３】
2013096485.tif 000005
【図４】
2013096485.tif 000006
【図５】
2013096485.tif 000007